(57)【要約】【課題】押しボタンの操作で、一方のポールと他方のポールとのロックを解除する。【解決手段】ロックユニットＵはポール連結部１１、ポール挿通部１２、押しボタン２を有するハウジング１と、ポール挿通部１２内にポールＰ２を挿通可能に固定配置されるホルダー３、ホルダー３の端部に回転可能に配置される作動部材４と、ホルダー３内に一端がホルダー３に係止され他端が作動部材４に係止されてポールＰ２の周面を締め付け可能に設置されるコイルスプリング５と、押しボタン２と作動部材４とを作動連結するガイド機構６とを備え、押しボタン２の押し操作によりポールＰ２のロックを解除するようにした。【選択図】図２
2018062966.tif 000002
【特許請求の範囲】
【請求項１】
中空の一方のポール内に他方のポールが挿通され、前記一方のポールを固定側、前記他方のポールを可動側として、前記一方のポールに対して前記他方のポールを伸縮方向にスライドさせる形式、又は前記一方のポールを可動側、前記他方のポールを固定側として、前記一方のポールを前記他方のポール上でスライドさせる形式、の前記一方のポールと前記他方のポールとのロックに用いるフレキシブルロックユニットであって、
全体が略筒状を呈し、一端に前記一方のポールを挿着可能な一方のポール連結部を、他端側に前記一方のポール連結部に連通し、前記一方のポール内に通される前記他方のポールを挿通可能な他方のポール挿通部を、前記他方のポール挿通部の周面に押しボタン装着部をそれぞれ有するハウジング、及び前記他方のポール挿通部の前記押しボタン装着部に前記他方のポール挿通部の周面に向けて押下可能に装着される押しボタンと、
前記ハウジングの前記他方のポール挿通部内に、前記他方のポール挿通部と同心的に前記他方のポールを挿通可能に固定配置される筒状のホルダー、及び前記他方のポールを挿通可能にポール挿通孔を有し、前記ホルダーの端部に前記他方のポール挿通部と同心的に回転可能に配置される作動部材と、
前記ホルダー内に、一端が前記ホルダーに係止され、他端が前記作動部材に係止されて、前記他方のポール挿通部に前記ホルダーを通して挿通される前記他方のポールに外嵌し、前記他方のポールの周面を締め付け可能に設置されるコイルスプリングと、
前記押しボタンと前記作動部材との間に形成され、常態として前記押しボタンを前記ハウジングの前記他方のポール挿通部の周面から所定の高さに支持し、前記押しボタンの押し操作により、前記作動部材を前記コイルスプリングを前記他方のポールに対して緩める方向に回転案内し、前記押しボタンの押し操作の解除により前記コイルスプリングとともに前記作動部材を回転復帰して前記押しボタンを常態の所定の高さに押し戻すガイド機構と、
を備え、
前記押しボタンの押し操作により、前記他方のポールのロックを解除する、
ことを特徴とするフレキシブルロックユニット。
【請求項２】
ホルダー内の一端及び／又は作動部材の前記ホルダーに対向する面に傾斜面が付けられて、前記ホルダー内に前記コイルスプリングは斜めに設置され、他方のポールに対して斜めに巻き付けられる請求項１に記載のフレキシブルロックユニット。
【請求項３】
押しボタン装着部はハウジングの他方のポール挿通部の周面の一部が断面略台形又は略四角形に突出され、その突出面に開口を有してなり、押しボタンは前記押しボタン装着部に前記開口内に出没可能に取り付けられる請求項１又は２に記載のフレキシブルロックユニット。
【請求項４】
ガイド機構は、作動部材の外周面にハウジングの他方のポール挿通部内で押しボタンの押下方向に対向して突出されるガイド凸起と、前記押しボタンに前記作動部材に対向して形成され、前記ガイド凸起に係合し、漸次前記ガイド凸起から離間する方向に斜めに延びるガイド面を有する加圧部とからなり、常態として前記ガイド凸起と前記加圧部との係合により前記押しボタンを所定の高さに支持し、前記押しボタンの押し操作により前記加圧部のガイド面で前記ガイド凸起を前記コイルスプリングによる前記他方のポールの締め付け方向とは反対の周方向に押圧して前記作動部材を前記コイルスプリングの締め付けを緩める方向に回転案内し、前記押しボタンの押し操作の解除により前記コイルスプリングとともに前記作動部材を回転復帰して、前記コイルスプリングで前記他方のポールを締め付け、前記ガイド凸起で前記押しボタンを常態の所定の高さに押し戻す請求項１乃至３のいずれかに記載のフレキシブルロックユニット。
【請求項５】
ハウジングの一方のポール連結部の周囲にリング形状部材が被着される請求項１乃至４のいずれかに記載のフレキシブルロックユニット。
【請求項６】
ハウジング内のコイルスプリングの設置数がホルダー、及び作動部材とともに増減されて、前記コイルスプリングによるポールに対する締め付け力及び押しボタンに対する押圧力が調整される請求項に１乃至５のいずれかに記載のフレキシブルロックユニット。
【請求項７】
ハウジングは他方のポール挿通部の他端に前記他方のポール挿通部と同心的に一方のポール連結部が連接され、前記ハウジングの両端に一方のポールが連結可能に形成される請求項１乃至６のいずれかに記載のフレキシブルロックユニット。
【発明の詳細な説明】
【技術分野】
【０００１】
本発明は、伸縮式のポールなど、中空の一方のポール内に他方のポールが挿通され、一方のポールを固定側、他方のポールを可動側として、一方のポールに対して他方のポールを伸縮方向にスライドさせる形式や、モニター支持スタンドなど、中空の一方のポール内に他方のポールが挿通され、一方のポールを可動側、他方のポールを固定側として、一方のポールを他方のポール上でスライドさせる形式の、一方のポールと他方のポールとのロックに用いるフレキシブルロックユニットに関する。
【背景技術】
【０００２】
一般に、医療機関で使用される点滴スタンドは、金属製のパイプからなる下部側の固定側のポールと、この固定側のポールに上下方向にスライド可能に嵌挿される金属製のパイプからなる上部側の伸縮側のポールとにより構成され、固定側のポールの上端部にこのポールの上端部から延ばされる伸縮側のポールを所定の高さでロックするためのロックユニットが設けられる。
この種のロックユニット（高さ調節装置）が特許文献１により提案されている。
この文献１の点滴懸架装置の高さ調節装置は、上部側のポールが挿通するように下部側のポールに固定される第１ハウジングと、上部側のロッドが挿通するように第１ハウジングに固定される第２ハウジングと、第１ハウジング内に格納され、下部側及び上部側のポールの軸芯の周りに回動する第１レバーと、第２ハウジング内に格納され、下部側及び上部側のポールの軸芯の周りに回動する第２レバーと、一端が第１ハウジングに係止され、他端が第１レバーに係止されて、第１ハウジング内に上部側のポールを外嵌するように配置される第１コイルバネと、一端が第２ハウジングに係止され、他端が第２レバーに係止されて、第２ハウジング内に上部側のポールを外嵌するように配置された第２コイルバネとを備え、第１レバー及び第２レバーの夫々第１ハウジング及び第２ハウジングから外部に露出した第１部分及び第２部分を相互に接近する方向に挟持して回動することにより、第１コイルバネ及び第２コイルバネの内径を大きくすることによって上部側のポールに対する締め付けを緩め、第１レバー及び第２レバーの第１部分及び第２部分の挟持を解除することにより、第１コイルバネ及び第２コイルバネの内径が小さくなって第１コイルバネ及び第２コイルバネが上部側のポールを締め付けるようになっている。
このようにして第１レバー及び第２レバーの第１部分及び第２部分を親指及び人差し指でつかんで相互に接近する方向に回動することにより、第１コイルバネ及び第２コイルバネの内径を大きくして、第１コイルバネ及び第２コイルバネによる上部側のポールの締め付け力を弱め、又は第１コイルバネ及び第２コイルバネが上部側のポールから離隔するので、上部側のポールは下部側のポールに対してその軸芯方向に移動することができ、上部側のポールの位置を容易に調整し、上部側のポール上部の点滴懸架装置の高さを調節することができる。
【先行技術文献】
【特許文献】
【０００３】
【特許文献１】特開２０１４−１８８１９６公報
【発明の概要】
【発明が解決しようとする課題】
【０００４】
しかしながら、上記従来のロックユニット（高さ調節装置）では、次のような問題がある。
（１）このロックユニットでは、上部側のポールの高さを調整する際に、第１レバー及び第２レバーの第１部分及び第２部分を親指及び人差し指でつかんで相互に接近する方向に回動することにより、ロックを解除するが、このロック解除の操作は、親指及び人差し指で第１、第２コイルバネの締付け力に抗して行われるので、力の入れにくい動作となり、操作が容易とは言い難い。
（２）このロックユニットでは、第１レバー及び第２レバーの第１部分及び第２部分が上部側、下部側のポールの中間に取り付けられるハウジングから羽形に突出されるため、この部分に周囲を通行する者の手や衣類が引っ掛かるおそれがあり、安全上、好ましくない。また、第１レバー及び第２レバーの操作性をよくするために、第１部分及び第２部分はある程度の大きさが必要になるものとみられ、意匠的にも好ましくない
【０００５】
本発明は、このような従来の問題を解決するもので、この種のロックユニットにおいて、簡単な操作で、一方のポールと他方のポールとのロック及びロック解除を確実かつ瞬時に行えるようにすること、併せて、ロック性能を向上させること、手や衣類が引っ掛かるなど邪魔にならないこと、意匠的デザインの向上を図ることなど、を目的とする。
【課題を解決するための手段】
【０００６】
上記目的を達成するために、本発明は、
中空の一方のポール内に他方のポールが挿通され、前記一方のポールを固定側、前記他方のポールを可動側として、前記一方のポールに対して前記他方のポールを伸縮方向にスライドさせる形式、又は前記一方のポールを可動側、前記他方のポールを固定側として、前記一方のポールを前記他方のポール上でスライドさせる形式、の前記一方のポールと前記他方のポールとのロックに用いるフレキシブルロックユニットであって、
全体が略筒状を呈し、一端に前記一方のポールを挿着可能な一方のポール連結部を、他端側に前記一方のポール連結部に連通し、前記一方のポール内に通される前記他方のポールを挿通可能な他方のポール挿通部を、前記他方のポール挿通部の周面に押しボタン装着部をそれぞれ有するハウジング、及び前記他方のポール挿通部の前記押しボタン装着部に前記他方のポール挿通部の周面に向けて押下可能に装着される押しボタンと、
前記ハウジングの前記他方のポール挿通部内に、前記他方のポール挿通部と同心的に前記他方のポールを挿通可能に固定配置される筒状のホルダー、及び前記他方のポールを挿通可能にポール挿通孔を有し、前記ホルダーの端部に前記他方のポール挿通部と同心的に回転可能に配置される作動部材と、
前記ホルダー内に、一端が前記ホルダーに係止され、他端が前記作動部材に係止されて、前記他方のポール挿通部に前記ホルダーを通して挿通される前記他方のポールに外嵌し、前記他方のポールの周面を締め付け可能に設置されるコイルスプリングと、
前記押しボタンと前記作動部材との間に形成され、常態として前記押しボタンを前記ハウジングの前記他方のポール挿通部の周面から所定の高さに支持し、前記押しボタンの押し操作により、前記作動部材を前記コイルスプリングを前記他方のポールに対して緩める方向に回転案内し、前記押しボタンの押し操作の解除により前記コイルスプリングとともに前記作動部材を回転復帰して前記押しボタンを常態の所定の高さに押し戻すガイド機構と、
を備え、
前記押しボタンの押し操作により、前記他方のポールのロックを解除する、
ことを要旨とする。
【０００７】
また、このフレキシブルロックユニットは各部が次のように具体化されることが好ましい。
（１）ホルダー内の一端及び／又は作動部材の前記ホルダーに対向する面に傾斜面が付けられて、前記ホルダー内に前記コイルスプリングは斜めに設置され、他方のポールに対して斜めに巻き付けられる。
（２）押しボタン装着部はハウジングの他方のポール挿通部の周面の一部が断面略台形又は略四角形に突出され、その突出面に開口を有してなり、押しボタンは前記押しボタン装着部に前記開口内に出没可能に取り付けられる。
（３）ガイド機構は、作動部材の外周面にハウジングの他方のポール挿通部内で押しボタンの押下方向に対向して突出されるガイド凸起と、前記押しボタンに前記作動部材に対向して形成され、前記ガイド凸起に係合し、漸次前記ガイド凸起から離間する方向に斜めに延びるガイド面を有する加圧部とからなり、常態として前記ガイド凸起と前記加圧部との係合により前記押しボタンを所定の高さに支持し、前記押しボタンの押し操作により前記加圧部のガイド面で前記ガイド凸起を前記コイルスプリングによる前記他方のポールの締め付け方向とは反対の周方向に押圧して前記作動部材を前記コイルスプリングの締め付けを緩める方向に回転案内し、前記押しボタンの押し操作の解除により前記コイルスプリングとともに前記作動部材を回転復帰して、前記コイルスプリングで前記他方のポールを締め付け、前記ガイド凸起で前記押しボタンを常態の所定の高さに押し戻す。
（４）ハウジングの一方のポール連結部の周囲にリング形状部材が被着される。
（５）ハウジング内のコイルスプリングの設置数がホルダー、及び作動部材とともに増減されて、前記コイルスプリングによるポールに対する締め付け力及び押しボタンに対する押圧力が調整される。
（６）ハウジングは他方のポール挿通部の他端に前記他方のポール挿通部と同心的に一方のポール連結部が連接され、前記ハウジングの両端に一方のポールが連結可能に形成される。
【発明の効果】
【０００８】
本発明のフレキシブルロックユニットによれば、上記の構成により、押しボタンの押し操作により、他方のポールのロックを解除するようにしたので、簡単な操作で、一方のポールと他方のポールとのロック及びロック解除を確実かつ瞬時に行うことができ、また、押しボタン式としたことで、押しボタンに手や衣類が引っ掛かるなど邪魔になることがないうえ、意匠的デザインの自由度に優れ、デザインの向上を図ることができ、さらに、常態としてコイルスプリングが他方のポールに対して斜めに巻き付けられるようにしたので、コイルスプリングによる他方のポールに対する締め付け力が上がりロック性能を向上させることができるなど、本発明独自の格別な効果を奏する。
【図面の簡単な説明】
【０００９】
【図１】本発明の一実施の形態におけるフレキシブルロックユニットを示す図（（ａ）は正面図（ｂ）は背面図（ｃ）は左側面図（右側面図は左側面図と対称に表れる。）（ｄ）は平面図（ｅ）は底面図）
【図２】同ロックユニットの各部の構成を示す図（側面断面図）
【図３】同ロックユニットの特にホルダーの構成を示す図（（ａ）は正面図（ｂ）は背面図（ｃ）は側面図（ｄ）は側面断面図）
【図４】同ロックユニットの特に作動部材の構成を示す図（（ａ）は正面図（ｂ）は背面図（ｃ）は側面図（ｄ）は側面断面図）
【図５】同ロックユニットの各押しボタンを押す前の状態を示す図（側面断面図）
【図６】同ロックユニットの各押しボタンを押す前の状態を示す図（（ａ）は正面図（ｂ）は作動部材が見える位置で断面した正面側断面図（ｃ）はコイルスプリングが見える位置で断面した正面側断面図）
【図７】同ロックユニットの各押しボタンを押した状態を示す図（側面断面図）
【図８】同ロックユニットの各押しボタンを押した状態を示す図（（ａ）は正面図（ｂ）は作動部材が見える位置で断面した正面側断面図（ｃ）はコイルスプリングが見える位置で断面した正面側断面図）
【図９】同ロックユニットを上下スライド式のモニター用支持スタンドに用いた場合の使用例を示す図
【図１０】同ロックユニットを水平方向スライド式のモニター用支持装置に用いた場合の使用例を示す図
【発明を実施するための形態】
【００１０】
次に、この発明の実施の形態について図を用いて説明する。
このフレキシブルロックユニットは、中空の一方のポール内に他方のポールが挿通され、一方のポールを固定側、他方のポールを可動側として、一方のポールに対して他方のポールを伸縮方向にスライドさせる形式、又は一方のポールを可動側、他方のポールを固定側として、一方のポールを他方のポール上でスライドさせる形式、の一方のポールと他方のポールとのロックに用いられるもので、従来の技術で例示した点滴スタンドなどの伸縮式ポールの他、さまざまなものに適用可能である。
図１から図８では、このフレキシブルロックユニットを、上記前者の形式の具体例の一つとして、伸縮式ポール用のロックユニットＵ（以下、単にロックユニットＵという。）として例示している。なお、この場合、伸縮式ポールは２５Φのステンレス丸パイプからなる固定側のポール（中空の一方のポール）Ｐ１と１６Φのステンレス丸パイプからなる伸縮側のポール（中空の他方のポール）Ｐ２とを備えるもので、ロックユニットＵは固定側のポールＰ１の一端に取り付けられて、伸縮側のポールＰ２を任意の位置で固定して、１０ｋｇｆ程度までの重量物に対応できるものとしている。
【００１１】
図１、図２に示すように、このロックユニットＵは、固定側のポールＰ１の一端に設けられて、固定側のポールＰ１内にスライド可能に挿通され、固定側のポールＰ１の一端から延ばされる伸縮側のポールＰ２を所定の高さ又は長さでロックする形式のもので、全体が略筒状を呈し、一端に固定側ポール連結部（一方のポール連結部）１１を、他端に伸縮側ポール挿通部（他方のポール挿通部）１２を、伸縮側ポール挿通部１２の周面に押しボタン装着部１３をそれぞれ有するハウジング１、及び伸縮側ポール挿通部１２の押しボタン装着部１３に装着される押しボタン２と、ハウジング１の伸縮側ポール挿通部１２内に伸縮側のポールＰ２を挿通可能に固定配置される筒状のホルダー３、及び伸縮側ポール挿通部１２内に伸縮側のポールＰ２を挿通可能にホルダー２の端部に回転可能に配置される作動部材４と、ホルダー２内に、一端がホルダー２に係止され、他端が作動部材３に係止されて、伸縮側のポールＰ２に外嵌し、伸縮側のポールＰ２の周面を締め付け可能に設置されるコイルスプリング５と、押しボタン２と作動部材３との間に形成され、押しボタン２と作動部材３とを作動連結するガイド機構６と、を備えて構成される。
【００１２】
図２に示すように、ハウジング１は全体が略筒状を呈し、一端に固定側のポールＰ１を挿着可能に固定側ポール連結部１１を、他端側に固定側ポール連結部１１に連通し、固定側のポールＰ１内に通される伸縮側のポールＰ２を挿通可能に伸縮側ポール挿通部１２を、伸縮側ポール挿通部１２の周面に押しボタン装着部１３をそれぞれ有する。
このロックユニットＵの場合、ハウジング１は全体が固定側のポールＰ１の外径よりも大きい略円筒状で、押しボタン装着部１３側を前部側とすると、前後に２等分割されていて、２つの略半円筒形のハウジングピース１０１、１０２が結合されてなる。固定側ポール連結部１１は一部がハウジング１の一端に固定側のポールＰ１の外周面を保持可能に円筒状（断面円形の穴）にかつ残部がハウジング１の一端面から円筒状に突出して形成される（以下、この円筒状に突出された部分を円筒状の突出部分１１０又は突出部分１１０という。）。この円筒状の突出部分１１０は外径がハウジング１全体の外径に比べて小さく段差形状になっている。また、この固定側ポール連結部１１はこの突出部分１１０の突出端（先端）の開口１１１が固定側のポールＰ１を挿通可能に固定側のポールＰ１と略同径になっており、これとは反対側のハウジング１の一端内（断面円形の穴の）奥側端の開口１１２は伸縮側のポールＰ２が挿通可能に伸縮側のポールＰ２と略同径になっている。これに対して、伸縮側ポール挿通部１２は固定側ポール連結部１１よりも長く、ハウジング１の他端が伸縮側のポールＰ２の外周面を保持可能に円筒状（断面円形の穴）に、この他端（断面円形の穴）に連続する中間部１２０が中空状に形成されて固定側ポール連結部１１と隣接される。この伸縮側ポール挿通部１２の中間部１２０は前部側のハウジングピース１０１の中間部周面の周方向中央が断面略台形に突出され、その突出面（先端面）に開口１３０を形成されて押しボタン装着部１３が形成される。この場合、開口１３０は（ハウジング１の）軸方向に長い矩形状で、この押しボタン装着部１３の内周面は平面視開口１３０と同じ矩形状に形成され、押しボタン装着部１３の内周面となす（ハウジング１の）軸方向と平行な両側面の両端側にそれぞれ、作動部材４のための回転ガイド溝１３１の一部が固定側ポール連結部１１、伸縮側ポール挿通部１２と同心的に円弧状に形成され、その中間に押しボタン２のための作動ガイド溝１３２がそれぞれ（ハウジング１の）軸方向に対して直角方向に形成され、さらに、押しボタン装着部１３の内周面となす（ハウジング１の）軸方向に対して直角の両端面で固定側ポール連結部１１の開口１１２及び伸縮側ポール挿通部１２の開口１２１の両側にそれぞれ、押しボタン２のための作動ガイド溝１３３が軸方向に対して直角方向に形成される。押しボタン２は伸縮側ポール挿通部１２の押しボタン装着部１３に伸縮側ポール挿通部１２の周面に向けて押下可能に装着される。この場合、押しボタン２は押しボタン装着部１３の内周面内に嵌合可能に後面（ハウジング１内に挿通される伸縮側のポールＰ２に対向される面）に開口を有する断面略矩形状の箱形に形成され、その外周面となす両側部及び両端部の外面にそれぞれ、作動ガイド凸部２１が押しボタン装着部１３の内周面の各作動ガイド溝１３２、１３３に係合可能に形成され、その内部には両端部側にそれぞれ、作動部材４のための回転ガイド溝１３１の一部が押しボタン装着部１３の内周面となす両側面の両端側に形成された回転ガイド溝１３１の一部に連続可能に円弧状に形成される。なお、これら押しボタン２内の回転ガイド溝１３１の一部と押しボタン装着部１３内の回転ガイド溝１３１の一部が連続することにより半円の円弧状の回転ガイド溝１３１になる。また、この押しボタン２の内部には、各回転ガイド溝１３１に隣接して一方は一方の側面部内面から前面部内面に向けて斜めの面２２が形成され、他方は他方の側面部内面から前面部内面に向けて斜めの面２３が形成される。これら斜めの面２２、２３は（押しボタン２の前面を上向きにした場合に）ハウジング１の軸方向から見て略ハの字形を呈する。なお、この斜めの面２２、２３については後述する。このようにして押しボタン２は、ハウジング１の押しボタン装着部１３に内側から嵌め込まれ、各作動ガイド凸部２１が押しボタン装着部１３の各作動ガイド溝１３２、１３３に係合されて、これら作動ガイド凸部２１、作動ガイド溝１３２、１３３の係合案内により、押しボタン装着部１３に開口１３０から出没可能に組み込まれる。
また、このように押しボタン２を装着された前部側のハウジングヒース１０１に対して、反対の後部側のハウジングピース１０２は中間部（押しボタン装着部１３に対応する部分）が断面略半円形の凹部１３４になっていて、この凹部１３４内両端側に作動部材４のための回転ガイド溝１３１の一部が固定側ポール連結部１１、伸縮側ポール挿通部１２と同心的に半円の円弧状に形成され、押しボタン装着部１３内の各回転ガイド溝１３１と合せて円形の回転ガイド溝１３１をなす。また、この凹部１３４内の中間にはホルダー３のための係止溝１２２が周方向に沿って円弧状に形成される。この凹部１３４と押しボタン装着部１３からなる伸縮側ポール挿通部中間部１２０内には、ハウジング１の軸心上にホルダー３が固定配置され、作動部材４が回転可能に配置される。この点は後述する。
なお、前部側、後部側の各ハウジングピース１０１、１０２は、内部にホルダー３、コイルスプリング５、作動部材４が取り付けられた後、略円筒形に組み立てられ、この際に、固定側ポール連結部１１は周囲にリング形状部材１４が被着されて固定され、伸縮側ポール挿通部１２は取付ねじＳ１（図１参照）により固定される。この場合、リング形状部材１４は内径が固定側ポール連結部１１の突出部分１１０の外径と略同じ、外径がハウジング１の外径と略同じ、厚さが突出部分１１０の長さと略同じで、固定側ポール連結部１１の突出部分１１０の周囲にハウジング１の外周面と一体的に外嵌可能に形成される。また、この場合、リング形状部材１４の外周面の相互に対向する位置、及び各ハウジングピース１０１、１０２の突出部分１１０の合せ部分にそれぞれ、ねじ挿通孔１４１（図１参照。なお、各ハウジングピース１０１、１０２の突出部分１１０の合せ部分のねじ挿通孔は図示省略。）を形成され、さらに、リング形状部材１４のリング形状の部分に、この場合、この部分を２等分したとしてその一方の半円部分に２箇所、他方の半円部分に１個所、ねじ挿通孔１４２（図１参照）を貫通形成され、これに対応して前部側のハウジングピース１０１の一端面に、この場合、２箇所、後部側のハウジングピース１０２の一端面に、この場合、１個所それぞれ、ねじ孔（図示省略）が形成される。また、伸縮側ポール挿通部１２は後部側のハウジングピース１０２の各合せ縁部の端部にねじ孔（図示省略）を形成され、前部側のハウジングピース１０１の外周面で後部側のハウジングピース１０２の各ねじ孔に対向する位置から（前部側のハウジングピース１０１の）合せ縁部端部にかけてねじ挿通孔１１６（図１参照）が貫通形成される。このようにして各ハウジングピース１０１、１０２が略円筒形に組み立てられた状態から、固定側ポール連結部１１の突出部分１１０の周囲にリング形状部材１４が被着され、このリング形状部材１４はリング形状の部分の各ねじ挿通孔１４２から固定用のねじＳ２が通されハウジング１一端面の各ねじ孔に締結されて固定され、これにより固定側ポール連結部１１側の各ハウジングピース１０１、１０２間が固定され、伸縮側ポール挿通部１０２側は後部側のハウジングピース１０２外周面の各ねじ挿通孔１１６から取付ねじＳ１が前部側のハウジングピース１０１の合せ縁部の各ねじ孔に締結されて固定される。
【００１３】
図２に示すように、ホルダー３はハウジング１の伸縮側ポール挿通部１２内に、伸縮側ポール挿通部１２と同心的に伸縮側のポールＰ２を挿通可能に固定配置される。
このロックユニットＵの場合、ホルダー３はハウジング１の伸縮側ポール挿通部１２の中間部１２０内に嵌合可能に全体が略円筒状に形成され、外周面に伸縮側ポール挿通部中間部１２０内の係止溝１２２に係合可能に凸起３１が突設され、内周面は伸縮側のポールＰ２の外径よりも少し大きく形成され、その軸方向中間部に全周に円形のフランジ３２が突設され（その中央は伸縮側のポールＰ２が挿通可能に穴になっていて）、ホルダー３の両端内部にそれぞれコイルスプリングの保持部３３が形成される。すなわち、ホルダー３内にコイルスプリングの保持部３３が２つ設けられる。この場合、凸起３１はホルダー３の外周面の一部で軸心方向中央に伸縮側ポール挿通部１２内の係止溝１２２に嵌合可能に円弧状に形成される。フランジ３２は各保持部３３においてのコイルスプリング５の一端を支持する部分であり、このホルダー３の場合、２つの保持部３３をそれぞれホルダーとして見立てると、このフランジ３２がホルダー内の一端であり、この一端のフランジ３２に、図３に示すように、傾斜面３２１が付けられる。図３に示すように、このフランジ３２の両側の面にそれぞれ、相互に１８０°反転された形状で、ホルダー３の軸心に対して斜めに形成され、このフランジ３３の各傾斜面３２１の開口側に最も延びる位置（傾斜面３２１の最も高い位置）にさらに両端の開口に向けて小凸段部３２２が形成される。また、このホルダー３の両端開口縁部には相互に１８０°反転された位置に各保持部３３に保持されるコイルスプリング５の一端を係止可能に係止溝３４がホルダー３の軸心方向に向けて形成される。さらに、このホルダー３の両端開口の内周側縁部には、この両端開口の縁部に後述の各作動部材４を回転可能に係合させるため、一部に切欠部３５０を有する円弧状のガイド凸状部３５を併せて形成される。このようにして各保持部３３にコイルスプリング５が一端を係止溝３４に係止されて斜めに保持され、コイルスプリング５の他端側の一部が少し保持部３３から外部に突き出されるようになっている。
【００１４】
図２に示すように、作動部材４は伸縮側のポールＰ２を挿通可能にポール挿通孔４０を有し、ハウジング１の伸縮側ポール挿通部１２内でホルダー３の端部に伸縮側ポール挿通部１２と同心的に回転可能に配置される。
このロックユニットＵの場合、２つの作動部材４が用いられる。２つの作動部材４は共に同じ構成で、それぞれ、中心に伸縮側のポールＰ２を挿通可能に円形のポール挿通孔４０を有し、回転作動部をなす円形のガイドプレート４１と、ガイドプレート４１の片側一方の面に同心的に一体に連接され、内部にコイルスプリング５の保持部４２０を有する円筒部４２と、円筒部４２の外周部の一部にガイドプレート４１とは反対方向に突出されて回転作動部をなすガイド凸起４３とからなり、円筒部４２の保持部４２０内に、図４に示すように、コイルスプリング５を斜めに支持するための傾斜面４２１が付けられ、円筒部４２の一部にコイルスプリング５の他端を係止可能に係止溝４２３が形成される。
図４に示すように、この場合、ガイドプレート４１はハウジング１の伸縮側ポール挿通部中間部１２０内の回転ガイド溝１３１に係合可能に形成される。円筒部４２は保持部４２０がホルダー３の保持部３３内に保持されるコイルスプリング５の保持部３３から突き出される他端側の一部を保持可能に円筒状に形成され、ホルダー３の保持部３３内に斜めに保持されるコイルスプリング５５を斜めに支持可能に保持部４２０内のガイドプレート４１側の端部に傾斜面４２１が形成される。また、この円筒部４２のガイドプレート４１とは反対側の開口縁部には内周側にホルダー３の開口縁部のガイド凸状部３５に係合可能にガイド凹状部４２４が形成され、外周側がホルダー３の開口縁部の凹状の外周側に係合可能に凸状に形成される。係止溝４２３は円筒部４２の開口縁部の一部にコイルスプリング５の他端を係止可能に軸方向に向けて形成される。ガイド凸起４３はガイドプレート４１の外周部よりも外側に少し突出される断面略三角形の凸形状で、円筒部４２の外周部の一部からリングプレート４１とは反対方向に向けて略三角柱状に突出形成される。なお、このガイド凸起４３はホルダー３のコイルスプリング５の一端を係止するための係止溝３４に対応する位置に係止溝３４を外周面側から覆うように突出される。
【００１５】
図２に示すように、コイルスプリング５は、ホルダー３内に、一端がホルダー３に係止され、他端が作動部材４に係止されて、伸縮側ポール挿通部１２にホルダー３を通して挿通される伸縮側のポールＰ２に外嵌し、伸縮側のポールＰ２の周面を締め付け可能に設置される。また、既述のとおり、ホルダー３内の一端（各保持部３３間のフランジ３２）及び作動部材４のホルダー３に対向する面（円筒部４２内のリングプレート４１側の端部）に、図３に示すように、傾斜面３２１が付けられていて、コイルスプリング５はホルダー３内に斜めに設置され、伸縮側のポールＰ２に対して斜めに巻き付けられる。
このロックユニットＵの場合、２つのコイルスプリング５が用いられる。２つのコイルスプリング５は共に同じ構成で、それぞれ、線材がホルダー３内の保持部３３と作動部材４の保持部４２０との間に嵌合可能な大きさに螺旋状に巻回され、両端がホルダー３、作動部材４の各係止溝３４、４２３に対応して係止可能に外周方向に折り曲げられる。
各コイルスプリング５はホルダー３の各保持部３３内に各コイルスプリング５の一端がホルダー３端部の各係止溝３４に係止されて保持され、このホルダー３の各端部に各作動部材４が、各作動部材４の円筒部４２の各係止溝４２３に各コイルスプリング５の他端を係止されて、回転可能に組み合わせられる。この組み合わせにより、ホルダー３と各作動部材４との間で各コイルスプリング５の他端がホルダー３の両端開口の内周側縁部に各作動部材４を回転可能に係合させるために形成された円弧状のガイド凸状部３５の一部に間欠される切欠部３２０の一端に配置され、各作動部材４はホルダー３の各端部に各コイルスプリング５を拡径する方向に、また、それを戻す方向に回転可能に係合される。このように組み合わせられたホルダー３、各コイルスプリング５及び各作動部材４は、この状態で、ハウジング１の伸縮側ポール挿通部中間部１２０内に組み込み配置される。ホルダー３は外周面の凸起３１が中間部１２０内の係止溝１２２に嵌め込まれて中間部１２０内に固定配置され、各作動部材４はガイドプレート４１が中間部１２０両端側の回転ガイド溝１３１に嵌入されて回転可能に配置され、各作動部材４の各ガイド凸起４３は押しボタン装着部１３内で押しボタン２内の各斜めの面２２、２３に係合される。この点は後述する。
【００１６】
図２に示すように、ガイド機構６は、押しボタン２と作動部材４との間に形成され、常態として押しボタン３をハウジング１の伸縮側ポール挿通部１２の周面から所定の高さに支持し、押しボタン３の押し操作により、作動部材４をコイルスプリング５を伸縮側のポールＰ２に対して緩める方向に回転案内し、押しボタン２の押し操作の解除によりコイルスプリング５とともに作動部材４を回転復帰して押しボタン２を常態の所定の高さに押し戻す構造を有する。
このロックユニットＵの場合、ガイド機構６は、各作動部材４の外周面にハウジング１の伸縮側ポール挿通部１２内で押しボタン２の押下方向に対向して突出されるガイド凸起４３（既述の作動部材４のガイド凸起４３）と、押しボタン２に作動部材４に対向して形成され、各ガイド凸起４３に係合し、漸次各ガイド凸起４３から離間する方向に斜めに延びる２つのガイド面２２、２３（既述の押しボタン内の斜めの面２２、２３）を有する２つの加圧部２２１、２３１とからなり、常態として各ガイド凸起４３と各加圧部２２１、２３１との係合により、この場合、各ガイド凸起４３は押しボタン装着部１３内で押しボタン２内部の両側部に配置され押しボタン２内部の各加圧部２２１、２３１（ガイド面２２、２３）に係合され、（この状態は各コイルスプリング５の付勢力により保持されて）押しボタン２を所定の高さに支持し、押しボタン２の（各コイルスプリング５の付勢力に抗する）押し操作により各加圧部２２１、２３１の各ガイド面２２、２３で各ガイド凸起４３を各コイルスプリング５による伸縮側のポールＰ２の締め付け方向とは反対の周方向に押圧して各作動部材４を各コイルスプリング５の締め付けを緩める方向に回転案内し、この押しボタン２の押し操作の解除により各コイルスプリング５とともに各作動部材４を回転復帰して、各コイルスプリング５で伸縮側のポールＰ２を締め付け、各ガイド凸起４３で押しボタン２を常態の所定の高さに押し戻し、支持するようになっている。
【００１７】
このようにしてロックユニットＵは構成され、図５、図６に示すように、固定側ポール連結部１１に固定側のポールＰ１が挿着され、伸縮側ポール挿通部１２に伸縮側のポールＰ２が挿通されて固定側ポール連結部１１内で固定側のポールＰ１内にスライド可能に挿通され、固定側のポールＰ１の一端部から延ばされる伸縮側のポールＰ２を所定の高さ又は長さでロックするようになっている。
図５、図６に示すように、この場合、固定側のポールＰ１はロックユニットＵの固定側ポール連結部１１に突出端の開口１１１から差し込まれ、ハウジング１一端内（円形の穴の）奥側端の開口１１２まで押し入れられる。そして、固定側ポール連結部１１の突出部分１１０の周囲に被着固定されたリング形状部材１４の２つのねじ挿通部１４１から固定用のねじＳ２（図１参照）が通され、固定側のポールＰ１（のねじ孔）に締結されて、固定側のポールＰ１が固定側ポール連結部１１に固定される。また、伸縮側のポールＰ２は、押しボタン２の押し操作により、ガイド機構６を介して、ホルダー３内の各コイルスプリング５が拡径された状態から、ハウジング１他端の開口から差し込まれて伸縮側ポール挿通部１２に挿通され、伸縮側ポール挿通部１２内で一方の作動部材４、ホルダー３内の各コイルスプリング５、他方の作動部材４を挿通されて、固定側ポール連結部１１を通じて、固定側のポールＰ１内に通される。そして、押しボタン２の押し操作の解除により、ガイド機構６を介して、ホルダー３内で各コイルスプリング５が各コイルスプリング５の付勢力により回転復帰され、伸縮側のポールＰ２は各コイルスプリング５により締め付けられてロックされる。このようにして固定側、伸縮側の各ポールＰ１、Ｐ２がロックユニットＵを介して連結される。そして、ロックユニットＵの押しボタン２を同様に押し操作することにより、伸縮側のポールＰ２のロックが解除され、伸縮側のポールＰ２を固定側のポールＰ１から引き出すことにより又は固定側のポールＰ１に押し入れることにより、伸縮側のポールＰ２の高さ又は長さを調整することができる。
【００１８】
図５、図６、図７及び図８にこのロックユニットＵの押しボタン２の押し操作及びその解除による、ロック時及びロック解除時のロックユニットＵ内部の各部の動作を示している。
図５、図６に示すように、押しボタン２の押し操作前の状態（つまり、押しボタン２を押していない状態）は、ハウジング１内の各作動部材４の各ガイド凸起４３が押しボタン装着部１３内で押しボタン２内部の両側部に配置されて押しボタン２内部の各加圧部２２１、２３１のガイド面２２、２３に係合され、この状態が各コイルスプリング５の付勢力により保持される。この状態で、押しボタン２は各作動部材４の各ガイド凸起４３により、所定の高さに支持される。
この状態から押しボタン２を各コイルスプリング５の付勢力に抗して押し操作すると、押しボタン２は外周面の各作動ガイド凸状部２１と押しボタン装着部１３の内周面の各作動ガイド溝１３２、１３３との係合案内により、図７、図８に示すように、押しボタン装着部１３の開口１３０内に没入されていく。この押しボタン２の没入とともに、押しボタン２内の各加圧部２２１、２３１の各ガイド面２２、２３で各ガイド凸起４３が押圧される。このとき押しボタン２は伸縮側のポールＰ２に対して直角に押下されるが、各加圧部２２１、２３１のガイド面２２、２３が各ガイド凸起４３から漸次離間する方向に斜めに延びており、各ガイド凸起４３が断面三角形状になっているので、各ガイド面２２、２３は各ガイド凸起４３の外側の面に当接して各ガイド凸起４３に対して相互に近接する方向に加圧し、各作動部材４が同方向に回転される。この押しボタン２の押下とともに各ガイド凸起４３が各ガイド面２２、２３上を相対移動しながら、各作動部材４が同方向に回転され、ホルダー３内で各コイルスプリング５が伸縮側のポールＰ２に対する締め付けが緩められて、各コイルスプリング５によるロックが解除される。この状態で伸縮側のポールＰ２はフリーとなり、伸縮側のポールＰ２を固定側のポールＰ１から引き出したり固定側のポールＰ１に押し入れたりすることができ、伸縮側のポールＰ２の高さ又は長さを調整することができる。また、固定側のポールＰ１と伸縮側のポールＰ２とを連結する場合であれば、この状態にすることで、伸縮側のポールＰ２をロックユニットＵの伸縮側ポール挿通部１２に挿入することができる。
そして、伸縮側のポールＰ２の高さ又は長さを調整したら、又は伸縮側のポールＰ２をロックユニットＵに挿通したら、押しボタン２の押し操作を解除する。この解除により、図５、図６に示すように、ハウジング１内のホルダー２内で各コイルスプリング５がその付勢力により元の状態に回転復帰され、このコイルスプリング５とともに各作動部材４が回転復帰されて各ガイド凸起４３が相互に離間する方向に押しボタン２内の各ガイド面２２、２３上を同方向に相対移動し、押しボタン２は各ガイド凸起４３により元の高さまで押し戻されて支持される。
【００１９】
以上説明したように、このロックユニットＵによれば、上記の構成により押しボタン式とし、押しボタン２の押し操作により、伸縮側のポールＰ２のロックを解除するようにしたので、簡単な押し操作だけで、固定側のポールＰ１と伸縮側のポールＰ２とのロック及びロック解除を確実かつ瞬時に行うことができ、また、押しボタン式としたことで、押しボタン２に手や衣類が引っ掛かるなど邪魔になることがないうえ、意匠的デザインの自由度に優れ、デザインの向上を図ることができる。
【００２０】
また、このロックユニットＵでは、さらに、次のような利点を有する。
（１）ホルダー３内の一端及び作動部材４のホルダー３に対向する面に傾斜面３２１、４２１が付けられて、ホルダー３内にコイルスプリング５が斜めに設置され、伸縮側のポールＰ２に対して斜めに（伸縮側のポールＰ２の外周面に引掛かるように）巻き付けられるので、コイルスプリング５による伸縮側のポールＰ２に対する締め付け力が上がり、このロックユニットＵのロック性能（保持力）を向上させることができる。このロックユニットＵの場合、２つのコイルリング５で、１０ｋｇｆを超える重量物に十分に対応することができる。なお、このロックユニットＵでは、２つのコイルリング５を用いたことで、万が一、一方のコイルスプリング５が切れた場合でも、他方のコイルスプリング５でポールが保持されるので、ポールが急激に伸縮されることがなく、安全であるという利点もある。また、コイルスプリング５はホルダー３内に保持され、作動部材４に押えられて、ハウジング１内に設置されるだけなので、ハウジング１内にコイルスプリング５を簡単に組み込むことができる。
（２）押しボタン装着部１３はハウジング１の伸縮側ポール挿通部１２の周面の一部が断面略台形に突出され、その突出面に開口１３０を有して形成され、押しボタン２が押しボタン装着部１３に開口１３０内に出没可能に取り付けられるので、押しボタン２で手や指を痛めることなく安全に操作することができ、また、開口１３０からごみが入りにくいので、押しボタン２の操作性を良好に維持することができる。また、押しボタン装着部１３の幅や大きさがハウジング１に比べて小さくなるので、このロックユニットＵを持ちやすく握りやすくして、押しボタン２を片手で簡単に操作することができ、また、ロックユニットＵ全体をスマートにして意匠的デザインの向上を図ることができる。
（３）ガイド機構６は、作動部材４の外周面にハウジング１の伸縮側ポール挿通部１２内で押しボタン２の押下方向に対向して突出されるガイド凸起４３と、押しボタン２に作動部材４に対向して形成され、ガイド凸起４３に係合し、漸次ガイド凸起４３から離間する方向に斜めに延びるガイド面２２、２３を有する加圧部２２１、２３１とからなり、常態としてガイド凸起４３と加圧部２２１、２３１との係合により押しボタン２を所定の高さに支持し、押しボタン２の押し操作により加圧部２２１、２３１のガイド面２２、２３でガイド凸起４３をコイルスプリング５による伸縮側のポールＰ２の締め付け方向とは反対の周方向に押圧して作動部材４をコイルスプリング５の締め付けを緩める方向に回転案内し、押しボタン２の押し操作の解除によりコイルスプリング５とともに作動部材４を回転復帰して、コイルスプリング５で伸縮側のポールＰ２を締め付け、ガイド凸起４３で押しボタン２を常態の所定の高さに押し戻すようにしたので、簡単で、信頼性、耐久性の高い構造を得ることができる。
（４）ハウジング１の固定側ポール連結部１１の周囲にリング形状部材１４が被着されるので、ハウジング１の組み立てが簡単で、ハウジング１の強度をアップすることができる。このロックユニットＵの場合、ハウジング１に２５Φ、１６Φのポールが通されるが、ハウジング１に大きな負荷が加えられても、前部側、後部側の各ハウジングピース１０１、１０２が開くことがなく、ハウジング１を十分に補強することができる。また、リング形状部材１４を用いたことで、ハウジング１に固定用のねじを少なくし、見栄えも良好に維持することができる。
【００２１】
なお、この実施の形態では、ホルダー３内の一端及び作動部材４のホルダー３に対向する面に傾斜面３２１、４２１が付けられて、ホルダー１内にコイルスプリング５が斜めに設置されるようにしたが、ホルダー３内でコイルスプリング５が斜めに設置できれば、ホルダー３又は作動部材４の一方にのみ傾斜面が付けられてもよい。
また、この実施の形態では、押しボタン装着部１３はハウジング１の伸縮側ポール挿通部１２の周面の一部が断面略台形に突出形成されるものとしたが、断面略四角形又は断面略円形に突出されてもよい。また、押しボタン２も断面矩形状の箱形に代えて断面円形のケース形にしてもよい。
さらに、この実施の形態では、ハウジング１内に２つのコイルスプリング５が設置されているが、ハウジング１内のコイルスプリング５の設置数はホルダー３、及び作動部材４とともに増減可能で、コイルスプリング５によるポールに対する締め付け力及び押しボタン２に対する押圧力の調整が可能である。例えば、コイルスプリング５を１つにすれば、ポールに対する締め付け力は下がるが、押しボタン２は軽く押しやすくすることができる。このロックユニットＵの場合、コイルスプリング５を１つにすることで、５ｋｇｆ程度の重量物に対応することができる。また、コイルスプリング５を３つにすれば、押しボタン２は重く押しにくくなるが、ポールに対する締め付け力は上がることになる。このロックユニットＵの用途により適宜変更される。
このようにしても上記実施の形態と同様の作用効果を得ることができる。
また、この実施の形態では、伸縮ポール用のロックユニットを例示したが、一対の支柱と各支柱間に架け渡されるバーとからなる洋服掛け、コート掛けなどの各支柱に伸縮ポールを使用する場合にも、このロックユニットを同様にして用いることができる。
【００２２】
また、このロックユニットＵは、既述のとおり、中空の一方のポール内に他方のポールが挿通され、一方のポールを可動側、他方のポールを固定側として、一方のポールを他方のポール上でスライドさせる形式の一方のポールと他方のポールとをロックするのに用いることもでき、その具体例を図９、図１０に示している。
図９はモニターなどの各種の装置を上下方向にスライド可能に支持する支持スタンドを示している。この支持スタンドは、中空の短い一方のポールＰ１と、このポールＰ１内に挿通される長いポールＰ２とからなり、短いポールＰ１が長いポールＰ２上で上下方向にスライド可能になっている。短いポールＰ１にアームＡが取り付けられて、このアームＡにモニターＭが固定される。この場合、短いポールＰ１の下端にロックユニットＵが連結されて、このロックユニットＵにより短いポールＰ１が長いポールＰ２の任意の高さにロック可能になっている。モニターＭの高さを変更する場合、ロックユニットＵの押しボタン２を押しながら、長いポールＰ２上で短いポールＰ１を上下にスライドさせ、短いポールＰ２の位置決め後、押しボタン２の押し操作を解除すればよい。
図１０はモニターなどの各種の装置を水平方向にスライド可能に支持する支持装置を示している。この支持装置は、中空の短い一対の一方のポールＰ１と、これらのポールＰ１内に挿通される長いポールＰ２とからなり、短い各ポールＰ１が長いポールＰ２上で水平方向にスライド可能になっている。この場合、短い各ポールＰ１にそれぞれアームＡが取り付けられて、これらのアームＡにモニターＭが吊り下げられる。また、この場合、ロックユニットＵはハウジングの他方のポール挿通部の他端（この場合、ハウジングの左端）に他方のポール挿通部と同心的に一方のポール連結部が連接され、ハウジングの両端に短いポールＰ１が連結可能になっている。なお、他方のポール挿通部の他端（左端）に一方のポール連結部を設ける場合、図２を参照して説明すると、図２のロックユニットＵでは、他方のポール挿通部１２が一方のポール連結部１１よりも長く、ハウジング１の他端（左端）が他方のポールＰ２の外周面を保持可能に円筒状（断面円形の穴）に、この他端（断面円形の穴）に連続する中間部１２０が中空状に形成されて固定側ポール連結部１１と隣接されているが、この他方のポール挿通部１２の他端（断面円形の穴）に代えて一方のポール連結部が形成されてもよく、この他端（断面円形の穴）の外側端（つまり、図２中、左端）に連続して一方のポール連結部が形成されてもよい。この場合、外側端（つまり、左端）の一方のポール連結部は一端（つまり、右端）の一方の連結部１１と同じ形状でもよく異なる形状でもよく、短いポールＰ１が固定可能な構造を有するものである限り、その形状は任意である。このようにしてハウジングの両端に短い各ポールＰ１が連結され、ロックユニットＵにより短い各ポールＰ１が長いポールＰ２の長さ方向任意の位置にロック可能になっている。モニターＭの位置を変更する場合、ロックユニットＵの押しボタン２を押しながら、長いポールＰ２上で短い各ポールＰ１を水平方向にスライドさせ、短い各ポールＰ２の位置決め後、押しボタン２の押し操作を解除すればよい。
【符号の説明】
【００２３】
Ｐ１  固定側のポール
Ｐ２  伸縮側のポール
Ａ  アーム
Ｍ  モニター
Ｕ  フレキシブルロックユニット
１  ハウジング
１０１、１０２  ハウジングピース
Ｓ１  取付ねじ
Ｓ２  固定用のねじ
１１  固定側ポール連結部（一方のポール連結部）
１１０  円筒状の突出部分
１１１  開口
１１２  開口
１１３  ねじ挿通孔
１１６  ねじ挿通孔
１２  伸縮側ポール挿通部（他方のポール挿通部）
１２０  中間部
１２１  開口
１２２  係止溝
１３  操作部材装着部
１３０  開口
１３１  回転ガイド溝
１３２、１３３  作動ガイド溝
１３４  凹部
１４  リング形状部材
１４１  ねじ挿通孔
１４２  ねじ挿通孔
２  押しボタン
２１  作動ガイド凸部
２２、２３  斜めの面（ガイド面）
２２１、２３１  加圧部
３  ホルダー
３１  凸起
３２  フランジ
３２１  傾斜面
３２２  小凸段部
３３  保持部
３４  係止溝
３５  ガイド凸状部
３５０  切欠部
４  作動部材
４０  ポール挿通孔
４１  ガイドプレート
４２  円筒部
４２０  保持部
４２１  傾斜面
４２３  係止溝
４２４  ガイド凹状部
４３  ガイド凸起
５  コイルスプリング
６  ガイド機構
【図１】
2018062966.tif 000003
【図２】
2018062966.tif 000004
【図３】
2018062966.tif 000005
【図４】
2018062966.tif 000006
【図５】
2018062966.tif 000007
【図６】
2018062966.tif 000008
【図７】
2018062966.tif 000009
【図８】
2018062966.tif 000010
【図９】
2018062966.tif 000011
【図１０】
2018062966.tif 000012